(57)【要約】  本発明は、メモリ箔上にＸ線画像を記録するためのＸ線記録装置と、メモリ箔用の読出し装置とを有するシステムに関する。本発明によれば、メモリ箔がデータ担体を有し、かつＸ線記録装置及び／又は読出し装置が、Ｘ線記録に関する記録パラメータをデータ担体上に書き込み、かつデータ担体上に記憶された情報を読み出すための書込み／読出し装置を備えたデータ装置を有し、その場合に書込み／読出し装置が、読み出した情報を読み出し装置へ伝達するように整えられているので、読出し装置はＸ線画像を記録する場合に使用された記録パラメータを、メモリ箔を読み出すために提供する。本発明は、さらに、読出し装置のために情報を提供する方法に関する。【選択図】図１Ａ、１Ｂ
2019533490.tif 000002
【特許請求の範囲】
【請求項１】
−メモリ箔（１３）上にＸ線画像を記録するためのＸ線記録装置（１２）及び
−メモリ箔（１３）のための読出し装置（１４）、
を有する、システム（１０）において、
メモリ箔（１３）がデータ担体を有し、かつ
Ｘ線記録装置（１２）及び／又は読出し装置（１４）が、Ｘ線記録に関する記録パラメータをデータ担体（１６）上に書き込み、かつデータ担体（１６）上に記憶された情報を読み出すための、データ装置（１８、２０）を有しており、その場合に
書込み／読出し装置（２０）が、読み出した情報を読み出し装置（１４）へ伝達するように整えられているので、読出し装置が、Ｘ線画像を記録する場合に使用され記録パラメータを、メモリ箔を読み出すために提供する、
ことを特徴とするシステム。
【請求項２】
その場合に情報が、メモリ箔を一義的に識別する識別コードである、請求項１に記載のシステム。
【請求項３】
その場合にＸ線記録装置（１２）が、記録パラメータを書込み／読出し装置（１８）へ伝達するように整えられている、請求項１に記載のシステム。
【請求項４】
その場合に記録パラメータが、電圧、電流強さ、露光時間、線量、線量面積積、絞り指数、患者についてのデータ及び／又は注文についてのデータを含んでいる、請求項１から３のいずれか１項に記載のシステム。
【請求項５】
その場合にデータ担体（１６）が、ＲＦＩＤトランスポンダーである、請求項１から４のいずれか１項に記載のシステム。
【請求項６】
その場合にメモリ箔（１３）が、光学的に読み取り可能な標識を有しており、かつ
データ装置が、光学的に読み取り可能な標識を読出し装置（１４）によって検出するように、設計されている、
請求項１から５のいずれか１項に記載のシステム。
【請求項７】
その場合に光学的に読み取り可能な標識が、バーコード又はＱＲコードである、請求項６に記載のシステム。
【請求項８】
請求項１から７のいずれか１項に記載のシステム用のメモリ箔。
【請求項９】
読出し装置用の情報を提供する方法であって、以下のステップ：
Ｘ線記録装置によってメモリ箔の露光プロセスを実施し（Ｓ１）、
メモリ箔に固定的に対応づけられたデータ担体に、露光プロセスを特徴づける情報を書き込み（Ｓ２）、
データ担体を読出し（Ｓ３）、かつ
データ担体の読出し結果を考慮しながらメモリ箔を読み出す（Ｓ４）、
ステップを有する方法。
【発明の詳細な説明】
【技術分野】
【０００１】
本発明は、メモリ箔上にＸ線画像を記録するためのＸ線記録装置とメモリ箔用の読み出し装置とを有するシステムに関する。この種のシステムは、今日では、Ｘ線技術において、たとえば歯科医療において、Ｘ線画像を記録するために使用される。メモリ箔は、Ｘ線画像を記録するためにリン材料を有し、そのリン材料が透明なマトリクス内に埋め込まれている。それによってメモリセンターが生じ、そのメモリセンターは入射するＸ線光によって刺激されたメタステーブル状態へ移行することができる。たとえば患者の咬翼を記録するために、この種のメモリ箔をＸ線装置内で露光する場合に、メモリ箔は刺激されたメモリセンターと刺激されないメモリセンターの形式のＸ線潜像を得る。
【背景技術】
【０００２】
メモリ箔を読み出すために、メモリ箔が読み取り装置、たとえばスキャン装置内で読み取り光によって点状に走査され、それによって刺激されたメモリセンターのメタステーブル状態が、蛍光を放出してリラックスする状態へ移行される。この蛍光が検出ユニットによって検出されるので、それに応じた評価エレクトロニクスによってＸ線画像が見えるようになる。
【０００３】
医療においては、メモリ箔の一義的な追跡と対応づけがきわめて重要である。この目的のために、ここでは−多くの他のロジスティック領域においてもそうであるように−識別システムが使用される。
【発明の概要】
【発明が解決しようとする課題】
【０００４】
本発明の課題は、取り扱いが容易で信頼でき、かつコスト的に好ましい、読み取り装置用の情報を提供するシステムと方法を示すことである。
【０００５】
さらに、メモリ箔の読み取りプロセスを効率的かつ正確に構成することが、興味をひく。
【課題を解決するための手段】
【０００６】
この課題は、独立した請求項１に記載のシステムにより、他の独立した請求項に記載のメモリ箔により、かつ独立した方法請求項に記載の方法によって解決される。本発明の他の形態が、従属請求項に記載されている。
【０００７】
本発明に係るシステムは、メモリ箔上にＸ線画像を記録するためのＸ線記録装置と、メモリ箔のための読出し装置とを有している。本発明によれば、メモリ箔はデータ担体を有している。さらにＸ線記録装置及び／又は読出し装置は、Ｘ線記録に関する記録パラメータをデータ担体上へ書き込むため、かつデータ担体上に記憶された情報を読み出すための書込み／読出し装置を備えたデータ装置を有しており、その場合に書込み／読出し装置は、読み出した情報を読み出し装置へ伝達するように整えられているので、読出し装置は、Ｘ線画像を記録する際に使用された記録パラメータをメモリ箔を読み出すために提供する。したがって本発明に係るシステムによって、メモリ箔によってＸ線画像を記録するために適切な情報をデータ担体から取り出すことが、可能である。その情報はたとえば、Ｘ線器具による記録のために使用される、記録パラメータとすることができる。さらに、読み出すべき情報を用いてメモリ箔の使用回数を検出することができ、それによってメモリ箔の推定上の摩耗を計算し、あるいは評価することができる。メモリ箔のための読出し装置に、たとえば読出しプロセスの前にすでに、データ担体上にある情報が提供され、かつメモリ箔の読出しは、たとえばすでに、Ｘ線画像を記録する際に使用される、記録パラメータに適合させておくことができる。記録パラメータの書込みがＸ線記録装置のデータ装置によって実施可能でることにより、特別な利点が生じる。これによって、少ないエラー率と場合によっては繊細なデータの充分な秘密保持のような、しかるべき利点をもって、メモリ箔上への書込みプロセスの充分な自動化が可能になる。
【０００８】
システムの実施形態において、情報は、メモリ箔を一義的に識別する識別データであることができる。したがってデータ担体上に記憶されている情報を読み出すことによって、メモリ箔を一義的に識別することができる。これが、たとえば摩耗データの生成及び／又は検出のような、他のように検出されたデータをメモリ箔に関して結合することを可能にする。さらに、一義的な識別によって、たとえばそれと結合されたデータと他のように記憶されたメモリ箔のデータあるいはその上に記憶されたＸ線画像を結合することができる。また付加的に、データ担体上に記憶された、たとえば記録パラメータ、摩耗データなどのような情報を一義的な識別と結合することもできる。
【０００９】
特に好ましい実施形態においては、データ装置は、Ｘ線記録に関する記録パラメータをデータ担体上に書き込むための書込み／読出し装置を有することができる。書込み／読出し装置によって、メモリ箔によるＸ線画像の記録を記録して、その際に使用される記録パラメータをメモリ箔に付属するデータ担体上へ記憶することが、可能である。同時に、あるいはその代わりに、データ担体上にある記録パラメータを書込み／読出し装置によって読み出すことができる。したがってメモリ箔と接続されたデータ担体のみを介して、中央の情報処理に関係なく情報伝達が可能である。これが一方で、メモリ箔上のＸ線画像の記録と結びついた記録パラメータの隙間なしの追跡を保証する。他方で、システムを常に中央でデータバンクなどに結合することを、省くことができる。
【００１０】
さらに、Ｘ線記録装置は、記録パラメータを書込み／読出し装置へ伝達するように、整えることができる。したがってＸ記録において使用された記録パラメータは、直接データ担体上に記憶することができる。
【００１１】
記録パラメータは、たとえば電圧、電流強さ、露光時間、線量、線量面積積、絞り指数、患者についてのデータ及び／又は注文についてのデータとすることができる。上述した記録パラメータのリストは、上述したパラメータとメモリ箔上にあるＸ線画像との結合を表し、したがって中央集中されたデータインフラ構造を前提とする必要なしに、Ｘ線記録の追跡を許す。
【００１２】
特に好ましい実施形態において、データ担体はＲＦＩＤトランスポンダーである。したがって、書込み／読出し装置はＲＦＩＤ書込み／読出し装置とすることができる。ＲＦＩＤベースの接続テクノロジーは、たとえば規格ＩＳＯ／ＩＥＣ１８０００−ｘに従って作動することができるが、この規格に限定されるものではない。
【００１３】
本発明に係るメモリ箔は、この種のシステムように設計されており、特にＸ線画像を記憶するために、感光層を有しており、かつ、光保護ケース内で保管するように、設計されている。メモリ箔がデータ担体を有しており、そのデータ担体は、Ｘ線記録の記録パラメータを記憶して、読み出すために提供するように、設計されている。したがって上ですでに説明した利点が得られる。
【００１４】
読出し装置のための情報を提供するための本発明に係る方法は、以下のステップを有している：Ｘ線記録装置によってメモリ箔の露光プロセスが実施されるので、メモリ箔上にＸ線画像が生じる。Ｘ線記録する際に使用される記録パラメータが、メモリ箔に固定的に対応づけられたデータ担体上に書き込まれる。データ担体が読み出される。データ担体の読出し結果を考慮しながら、メモリ箔が読み出される。露光前又は露光後に、メモリ箔のメモリ箔を特徴づける標識がデータ担体から読み出される。したがってＸ線記録する際に使用された記録パラメータが、データ担体上に記憶されて、たとえばメモリ箔を読み出す場合、あるいはメモリ箔上にあるＸ線画像を解釈する場合に読み出して、使用することができ、その場合に中央集中されたデータフローを行う必要はない。その場合にデータ担体に書き込むステップは、露光プロセスを特徴づける情報の記憶を含む。それはたとえば、すでに述べたように、Ｘ線記録する際の記録パラメータとすることができる。メモリ箔の読出しは、データ担体の読出し結果を考慮する。メモリ箔を読み出す場合に、たとえば、メモリ箔上にＸ線画像を露光した記録パラメータが考慮される場合には、場合によってはメモリ箔用の読出し条件を最適化することができる。その場合に、Ｘ線装置がデータ装置によって記録パラメータを直接メモリ箔のデータ担体内へ記憶することが、重要である。したがって手動の入力は不要であって、データ担体上に記憶された情報の正しさに関して高い程度の安全性が生じる。したがって意図的又は意図されない誤入力を回避することができる。同時に、たとえば手動の入力を行わなければならない場合に比較して、作業シーケンス全体が時間的に短縮され、かつ安全性に関して改良される。同時に離散的記憶の利点が提供される−データの迅速な可用性、中央のシステムへの面倒な結合がない、など。
【００１５】
添付の図面を参照して、本発明を詳細に説明する。
【図面の簡単な説明】
【００１６】
【図１Ａ】本発明に係るシステムの一部を示す図式的な表示である。
【図１Ｂ】本発明に係るシステムの一部を示す図式的な表示である。
【図２Ａ】本発明に係るメモリ箔を示す図式的な表示である。
【図２Ｂ】本発明に係る他のメモリ箔を示す図式的な表示である。
【図２Ｃ】本発明に係る他のメモリ箔を示す図式的な表示である。
【図２Ｄ】本発明に係る他のメモリ箔を示す図式的な表示である。
【図３】読み取り装置の実施形態を示す図式的な表示である。
【図４】本発明に係る方法のフローチャートである。
【発明を実施するための形態】
【００１７】
図１Ａと１Ｂには、情報を提供するシステム１０が示されている。システム１０は、たとえば歯科医療において使用されるように、メモリ箔１３にＸ線画像を露光するためのＸ線記録装置１２（図１Ａ）と、メモリ箔１３上にあるＸ線画像を読み出すための読み出し装置１４とを有している。Ｘ線画像を記録するためにメモリ箔１３は、通常、患者の口腔内の適切な箇所に、図示されない保持装置によって配置されて、Ｘ線記録装置１２を介して露光される。露光のために、Ｘ線記録装置１２においてそれぞれの記録状況に適した記録パラメータが調節される。これらの記録パラメータは、たとえば電圧、電流強さ、露光時間、線量、線量面積積及び／又は絞り指数を含み、そのようにして記録条件を定める。記録パラメータには、患者固有あるいは注文固有の情報も含まれる。
【００１８】
メモリ箔１３は、本来のＸ線感受性の構造の他にＲＦＩＤトランスポンダー１６を有している。ＲＦＩＤトランスポンダー１６は、たとえば、通常設けられている光を通さない保護ケースに、あるいはその中に配置することができる。ＲＦＩＤトランスポンダー１６は、Ｘ線記録装置１２に設けられた書込み／読出し装置１８及び読み出し装置１４に設けられた読み取り器具２０と協働する。
【００１９】
Ｘ線記録装置に設けられた書込み／読出し装置１８は、記録パラメータの一部又はすべてをＲＦＩＤトランスポンダー１３上へ書き込むように、設計されている。そのためにたとえば、露光プロセス前に調節された目標値及び／又は露光プロセス中又はその後に検出された測定値を、記録パラメータとして検出して、ＲＦＩＤトランスポンダーに１６上へ書き込むことができる。付加的に、書込み／読出し装置１８は、ＲＦＩＤトランスポンダー上にある情報を読み出すこともできる。たとえばメモリ箔１３上にＸ線記録を準備する際にすでに、たとえば患者、注文、Ｘ線システム及び／又はシステム全体に関する情報又は類似の情報をＲＦＩＤトランスポンダー１６上に格納することができ、それらをその後Ｘ線記録装置１２によって読み出して、場合によってはメモリ箔１３の露光プロセスのコンフィグレーション内に入力することができる。
【００２０】
ＲＦＩＤトランスポンダー１３上に書込み／読出し装置１８を用いてＸ線記録装置１２による情報を書き込むことは、実際に使用された記録パラメータの書込み及び／又は測定された測定値の書込みも含むことができる。書込みは、操作プロセスに関係なく、記録プロセスの最後に自動的に行うことができる。
【００２１】
露光が行われた後には、メモリ箔１３上にあるＸ線画像を読み出さなければならない。そのために、システム１０の図示される実施形態において、読出し装置１４が設けられている。読出し装置１４は、たとえばスキャン装置とすることができ、そのスキャン装置は案内されるレーザービームを用いてメモリ箔マトリクス内のメタステーブル状態を能動化し、そのようにしてＸ線画像の読出しを可能にする。ＲＦＩＤトランスポンダー１６内に設けられた記録パラメータは、読出し装置１４に設けられた読取り器具２０によって、たとえばメモリ箔１３の読出しプロセス前にすでに読み出して、場合によっては読出し／スキャンプロセスのために使用することができる。記録パラメータの認識は、場合によっては読出しプロセスの調節を容易にすることができる。
【００２２】
読出し装置１４に設けられた読出し器具２０は、書込み／読出し装置１８と同様に書込み／読出し装置として形成することができる。すなわちメモリ箔１３の読出し後に、まだＲＦＩＤトランスポンダー１６上にある情報を再び消去することができる。その代わりに、あるいはそれに加えて、読取り結果の一部又は全部を再びＲＦＩＤトランスポンダー上に書き込んで、それによって記憶させることができる。メモリ箔１３がすでに読み出されていることを指摘するメモを、ＲＦＩＤトランスポンダー１６上に残すこともできる。
【００２３】
図２Ａ−Ｄは、メモリ箔３０の実施形態を示している。メモリ箔３０は、図２Ａに示すように、それを取り扱う間保護ケース３２内に挿入されている。保護ケース３２は、敏感なメモリ箔３０をひっかきや折れ曲がりから保護するために、機械的な保護として用いられる。同時に保護ケース３２は、メモリ箔３０を望ましくない光入射から保護し、その光入射はメモリ箔３０上にあるメモリ潜像を破壊し、あるいは未露光のメモリ箔を望ましくないやり方で露光してしまうものである。読み出すために、メモリ箔３０は保護された環境にある保護ケースから取り出され、読出し光によって点状又は行状に走査され、それによって刺激されたメモリセンターのＸ線画像を記憶するメタステーブル状態が弛緩して、蛍光を放出する。
【００２４】
図３は、このようなメモリ箔３０を読み出すためのスキャン装置１００を示しており、そのメモリ箔はＸ線放射によって刺激されたメタステーブルのメモリセンターの形式でＸ線潜像を支持している。
【００２５】
スキャン装置１００は、メモリ箔３０のための支持装置１１４を有している。たとえば、メモリ泊３０は支持装置１１４上に負圧で、一般的にフレキシブルなメモリ箔３０が支持面１１４上に平坦に密着するように、固定することができる。
【００２６】
スキャン装置１００は、さらに読出し光源としてレーザー１１６を有しており、そのレーザーは赤内にある波長を有する読出し光ビームを発生させ、それによってメモリ箔３０のメタステーブルのメモリセンターを刺激して発光させることができる。この蛍光１２０は、典型的に青である。
【００２７】
スキャン装置１００のこの実施形態においてレーザー１１６は、読出し光ビーム１１８を制御可能な偏向ユニットへ向けるように、配置されている。制御可能な偏向ユニットは、ここではミラー１２２として形成されている。しかしまた、たとえば光学系又は同種のもののような、ミラー以外の他の偏向ユニットも考えられる。ミラー１２２は、マイクロミラーとして、特にＭＥＭＳコンポーネントとして形成することができ、それによってミラー１２２と支持装置１１４の間の相対運動なし、あるいはわずかな相対運動をもって、メモリ箔３０の面の走査を可能にする。代替的にミラー１２２は、ドラムスキャナのための従来の回転するミラーとして設けることもできる。この場合においては、支持装置１１４とミラー１２２の間の相対運動は、移送装置（図示せず）によって実現される。
【００２８】
スキャン装置１００は、さらに、図において破線で示唆されるリフレクタ１２４を有しており、そのリフレクタがメモリ箔３０を取り巻く測定室全体を光が入らないように包囲しているので、メモリ箔３０から放出される蛍光１２０が光検出器１２６へ反射される。散乱した読出し光１１８が光検出器１２６内へ達することを阻止するために、ダイクロイックフィルタ部材のような、適切な措置を設けることができる。
【００２９】
読出しプロセスを制御するために、スキャン装置１００は制御装置１２８を有しており、その制御装置は制御機能の他に評価あるいは補正機能も引き受けることができる。制御ユニット１２８自体又は評価及び／又は補正機能は、別のコンピュータ上に実装することもできる。制御ユニット１２８は、導線１３０によって支持装置１１４、検出器１２６、レーザー１１６及びミラー１２２と接続されている。
【００３０】
読み出すために、制御ユニット１２８はレーザー１１６とミラー１１２を駆動して、メモリ箔３０を読出し光ビーム１１８によってシーケンシャルに点状に走査する。その場合に放出される蛍光１２０の強度が光検出器１２６によって検出されて、制御ユニット１２８内で出力するために編集される。
【００３１】
図２Ｂ−Ｄには、メモリ箔３０の３つの異なる実施形態が示されている。図２Ｂに示すメモリ箔３０は、その上エッジにバーコード構造３４を有しており、そのバーコード構造が走査行の方向３５において実質的にメモリ箔３０の幅全体に広がっている。バーコード構造３４は次のように、すなわちたとえばスキャン装置１００によってメモリ箔を読み出す場合に、読出し光ビーム１１８の走査方向において読取り光ビーム１１８のための増大された反射性を有する領域３６と、より小さい反射性を有する、たとえばノーマルな反射性を有する領域３８とを有するように、形成されている。増大された反射性を有する領域３６は、たとえば散乱領域として作用することができる。したがってメモリ箔を走査する場合に、たとえばノーマルな読取りプロセスの前に、行状に走査する場合にバーコード構造３４から生じた散乱光を検出することができる。このプロセスにおいては高い場所解像度は重要ではないので、散乱光はたとえば単純なフォトダイオード（図示せず）によって検出することができる。その代わりに、あるいはそれに加えて、場合によっては、必要とされる感度が低い場合に、もともと設けられている光検出器１１２６がこの課題を引き受けることもできる。
【００３２】
図２Ｃと２Ｄは、変形例を示している。図２Ｂのバーコード構造とは異なり、このバーコード構造４０は走査方向３５においてメモリ箔３０の表面の一部のみを覆っている。図２Ｄに示す変形例においては、バーコード構造４２は行状の走査方向３５に対して垂直に延びており、したがって各走査行の始端において生じる散乱光の検出が必要である。
【００３３】
図４は、読出しプロセスのための情報を提供する方法を記述している。方法は、以下のステップを有している：
【００３４】
メモリ箔が、Ｘ線装置によって露光される（Ｓ１）。露光プロセスにおいて、Ｘ線画像がメモリ箔内に潜在的に形成される。
【００３５】
メモリ箔に堅固に対応づけられたＲＦＩＤトランスポンダーに、露光プロセスの記録パラメータが書き込まれる（Ｓ２）。ＲＦＩＤトランスポンダー上に調節すべき目標値のみが格納される場合には、書込みのプロセス（Ｓ２）は、露光のステップ（Ｓ１）の前に行うことができる。その代わりに、あるいはそれに加えて、書込みのプロセス（Ｓ２）は、露光プロセス（Ｓ１）の間、あるいはその後に行うことができ、かつその代わりに、あるいはそれに加えて、露光プロセス（Ｓ１）の間に検出された測定値をＲＦＩＤトランスポンダー上に記憶することができる。ＲＦＩＤトランスポンダーに書き込むために、メモリ箔はＸ線装置内に残すことができ、あるいはＸ線装置からすでに取り出しておくこともできる。
【００３６】
ＲＦＩＤトランスポンダー上にある記録パラメータが読み出される（Ｓ３）。メモリ箔は、露光プロセス（Ｓ１）が終了し、かつＲＦＩＤトランスポンダーの書込みの後に読出し装置へ移動されて、そこで記録パラメータが読み出される。
【００３７】
メモリ箔上にあるＸ線画像が適切な読出し装置によって読み出される（Ｓ４）。読出し装置は、たとえばスキャン装置とすることができ、そのスキャン装置がレーザーによってＸ線潜像を能動化させて、それによって読出しを可能にする。記録パラメータの読出し（Ｓ３）とメモリ箔の読出し（Ｓ４）のステップは、互いに独立して行うことができる。記録パラメータからメモリ箔を読み出すための適切な調節を推定することができるようにするために、メモリ箔の読出し（Ｓ４）の前に記録パラメータをＲＦＩＤトランスポンダーから読み出す（Ｓ３）ことができる。
【図１Ａ】
2019533490.tif 000003
【図１Ｂ】
2019533490.tif 000004
【図２Ａ】
2019533490.tif 000005
【図２Ｂ】
2019533490.tif 000006
【図２Ｃ】
2019533490.tif 000007
【図２Ｄ】
2019533490.tif 000008
【図３】
2019533490.tif 000009
【図４】
2019533490.tif 000010
【国際調査報告】
2019533490.tif 000011
2019533490.tif 000012
2019533490.tif 000013
2019533490.tif 000014